(57)【要約】      （修正有）【課題】適切な条件で正確にバルーン駆動が可能であり、臨床研究やトラブル対応時にバルーンカテーテルの駆動状態を容易に解析することが可能なバルーンカテーテルおよび駆動システムを提供する。【解決手段】拡張および収縮するバルーン部２２と、バルーン部２２の後端に連結されて、バルーン部２２内に圧力流体を導入および導出する流体圧導通路が形成されたカテーテル管２４と、カテーテル管２４の後端に連結され、流体圧導通路内と連通する圧力流体導入出口が形成される第１通路を少なくとも持つハンドル部４２と、ＩＣチップ６０と、通信部７０とを有する。ＩＣチップ６０は、バルーン部２２の拡張外径および容量と製品番号に関するデータが記憶してあり、通信部７０がＩＣチップ６０のデータの読み出しや書き込みを行う。【選択図】図１Ａ
0003177552.tif 000002
【実用新案登録請求の範囲】
【請求項１】
拡張および収縮するバルーン部と、
このバルーン部の後端に連結されて、前記バルーン部内に圧力流体を導入および導出する流体圧導通路が形成されたカテーテル管と、
前記カテーテル管の後端に連結され、前記流体圧導通路内と連通する圧力流体導入出口が形成される第１通路を少なくとも持つハンドル部と、
少なくとも前記バルーン部の拡張外径および容量と製品番号に関するデータが記憶してあり、さらに別データの記憶が可能なＩＣチップと、
前記ＩＣチップに記憶してあるデータを読み出すと共に、前記ＩＣチップにデータを書き込むことが可能な通信部と、
を有するバルーンカテーテル。
【請求項２】
前記ＩＣチップに書き込まれるデータが、少なくとも前記バルーンカテーテルを実際に駆動した駆動装置の識別番号である請求項１に記載のバルーンカテーテル。
【請求項３】
前記ＩＣチップに書き込まれるデータが、少なくとも前記バルーンカテーテルを実際に駆動した駆動装置の駆動状態である請求項１または２に記載のバルーンカテーテル。
【請求項４】
前記ＩＣチップが前記ハンドル部の一部に埋め込まれている請求項１〜３のいずれかに記載のバルーンカテーテル。
【請求項５】
前記バルーン部の先端に形成された血液連通孔に連通し、バルーン部とカテーテル管の内部を軸方向に延在し、前記流体圧導通路とは別個の血液導通路が形成された内管をさらに有し、
前記内管の血液導通路には、ワイヤ部材が軸方向に沿って移動自在に挿入され、
前記ワイヤ部材の後端に、前記ＩＣチップが装着してある請求項１〜３のいずれかに記載のバルーンカテーテル。
【請求項６】
前記通信部が、接触式コネクタである請求項１〜５のいずれかに記載のバルーンカテーテル。
【請求項７】
前記通信部が、非接触式通信用アンテナである請求項１〜５のいずれかに記載のバルーンカテーテル。
【請求項８】
請求項１〜７のいずれかに記載のバルーンカテーテルと、
前記バルーンカテーテルのハンドル部に接続され、前記バルーンカテーテルを駆動する駆動装置とを有するバルーンカテーテルの駆動システムであって、
前記駆動装置の表示部には、前記ＩＣチップに記憶してあるデータが、駆動装置に必要なデータと共に表示可能になっている駆動システム。
【請求項９】
前記ＩＣチップに記憶してあるデータに基づき、前記駆動装置は、前記バルーンカテーテルを駆動するための駆動条件を自動的に算出する制御部を有する請求項８に記載の駆動システム。
【請求項１０】
前記駆動装置の制御部は、前記通信部を通して、前記駆動装置の識別番号と前記駆動装置の実際の駆動状態の少なくとも一部とを、前記ＩＣチップに書き込む請求項９に記載の駆動システム。
【請求項１１】
前記駆動装置の実際の駆動状態の少なくとも一部には、前記駆動装置に記憶してある前記バルーンカテーテルの実際の駆動状態が記憶してあるデータの位置を特定するデータが含まれる請求項１０に記載の駆動システム。
【請求項１２】
前記ＩＣチップに記憶してあるデータと、前記バルーンカテーテルに対応する前記駆動装置の実際の駆動状態が記憶してあるデータとに基づき、前記バルーンカテーテルの駆動状態を解析する解析装置をさらに有する請求項１１に記載の駆動システム。
【考案の詳細な説明】
【技術分野】
【０００１】
本考案は、バルーンカテーテルおよび駆動システムに係り、さらに詳しくは、適切な条件で正確にバルーン駆動が可能であり、臨床研究やトラブル対応時にバルーンカテーテルの駆動状態を容易に解析することが可能なバルーンカテーテルおよび駆動システムに関する。
【背景技術】
【０００２】
たとえば急性心不全等の治療法である大動脈内バルーンポンピング法（Intra Aortic balloon pumping，以下、「IABP法」と略称する）などでは、バルーンカテーテルが用いられる。合成高分子材から成るバルーン部とカテーテル管とで構成されるバルーンカテーテルを大動脈内に挿入し、心臓の拍動に合わせて駆動装置によりカテーテル管からバルーン部に圧力流体を導入または導出し、バルーン部を拡張・収縮させて心機能の補助を行う。
【０００３】
IABP法に用いられるバルーンカテーテルとしては、たとえば特許文献１および特許文献２に示すようなバルーンカテーテルが知られている。このようなバルーンカテーテルにおいて、心臓の拍動に合わせてバルーン部を拡張および収縮するために、患者の心臓の拍動を検知する必要がある。患者の心臓の拍動を検知する手段として、患者の体表面あるいは体内部に電極を装着し、心臓の拍動を電気信号として検出する手段がある。
【０００４】
また、バルーンカテーテルを利用して患者の血圧から心臓の拍動を検出する手段として、バルーン部の先端チップ部に、血液連通孔を設け、その血液連通孔と連通する内管を、バルーン部およびカテーテル管の内部に軸方向に挿通させ、血圧側出口から血圧変動を測定することにより、心臓の拍動を検出する方法がある。
【０００５】
さらには、特許文献３に示すように、バルーン部の先端チップ部に、圧力センサを設け、その圧力センサで検出する圧力により、心臓の拍動を検出し、検出した拍動信号に基づき、バルーン部の拡張・収縮を制御することも提案とされている。
【０００６】
いずれにしてもバルーンカテーテルは、駆動装置に連結され、駆動装置からカテーテル管を通してバルーン部に圧力流体を導入または導出し、心臓の拍動に合わせてバルーン部を拡張・収縮させて心機能の補助を行う。バルーン部に送り込まれる圧力流体の最大容量は、バルーン部の長さや外径などのサイズにより異なる。用いられるバルーン部のサイズは、患者の身長や年齢などにより決定され、担当の医者によって決められる。
【０００７】
駆動装置を扱う担当者は、使用されるバルーンカテーテルにおけるバルーン部のサイズなどの情報を駆動装置に入力し、駆動装置からバルーンカテーテルに送られる圧力流体の流量の調整などを行う必要がある。しかしながら従来では、バルーン部のサイズなどの情報を駆動装置に入力する作業は、手入力であるために、間違いなく正確に行うために気を遣う作業であるという課題を有していた。
【０００８】
また、臨床研究やトラブル対応時に、使用されたバルーンカテーテルの駆動状態を、後で正確に把握することが困難であり、解析に時間がかかるなどの課題を有していた。
【先行技術文献】
【特許文献】
【０００９】
【特許文献１】特開昭６３−２０６２５５号公報
【特許文献２】特開昭６２−１１４５６５号公報
【特許文献３】特開２０１０−２３３８８３号公報
【考案の概要】
【考案が解決しようとする課題】
【００１０】
本考案は、このような実状に鑑みてなされ、その目的は、適切な条件で正確にバルーン駆動が可能であり、臨床研究やトラブル対応時にバルーンカテーテルの駆動状態を容易に解析することが可能なバルーンカテーテルおよび駆動システムを提供することである。
【課題を解決するための手段】
【００１１】
上記目的を達成するために、本考案に係るバルーンカテーテルは、
拡張および収縮するバルーン部と、
このバルーン部の後端に連結されて、前記バルーン部内に圧力流体を導入および導出する流体圧導通路が形成されたカテーテル管と、
前記カテーテル管の後端に連結され、前記流体圧導通路内と連通する圧力流体導入出口が形成される第１通路を少なくとも持つハンドル部と、
少なくとも前記バルーン部の拡張外径および容量と製品番号に関するデータが記憶してあり、さらに別データの記憶が可能なＩＣチップと、
前記ＩＣチップに記憶してあるデータを読み出すと共に、前記ＩＣチップにデータを書き込むことが可能な通信部と、を有する。
【００１２】
また本考案にかかる駆動システムは、
上記に記載のバルーンカテーテルと、
前記バルーンカテーテルのハンドル部に接続され、前記バルーンカテーテルを駆動する駆動装置とを有するバルーンカテーテルの駆動システムであって、
前記駆動装置の表示部には、前記ＩＣチップに記憶してあるデータが、駆動装置に必要なデータと共に表示可能になっている。
【００１３】
本考案に係るバルーンカテーテルおよび駆動システムでは、バルーンカテーテルのハンドル部に駆動装置を接続し、バルーンカテーテルの通信部と駆動装置の通信部とを通信させることで、バルーンカテーテルのＩＣチップに記憶してあるデータが、自動的に駆動装置に送り込まれる。駆動装置の表示部には、ＩＣチップに記憶してあるデータが、駆動装置に必要なデータと共に表示される。
【００１４】
ＩＣチップに記憶してあるデータとしては、少なくともバルーン部の拡張外径および容量と製品番号に関するデータであり、そのデータが表示部に表示されることで、駆動装置の操作者は、そのデータに誤りが無いかを容易に確認することができる。ＩＣチップに予め記憶してあるその他のデータとしては、バルーンカテーテルのタイプなどがある。バルーンカテーテルのタイプとしては、ショートバルーンタイプ、ロングバルーンタイプ、その他の特殊形状タイプなどがある。
【００１５】
また、駆動装置では、ＩＣチップに記憶してあるデータに基づき、駆動装置からバルーンカテーテルに送られる圧力流体の流量調整を自動的に行うことができる。すなわち、バルーン部の容量が小さい場合には、バルーンカテーテルに送られる圧力流体の流量も小さくなる。
【００１６】
また、使用済みのバルーンカテーテルのＩＣチップに書き込まれるデータは、特に限定されないが、たとえばバルーンカテーテルを実際に駆動した駆動装置の識別番号である場合には、バルーンカテーテルを駆動装置から取り外した後においても、そのバルーンカテーテルが用いられた駆動装置を容易に特定することができる。そのため、そのＩＣチップのデータを読み取り、さらに、そのデータから特定される駆動装置のデータを組み合わせることで、臨床研究やトラブル対応時に、使用されたバルーンカテーテルの駆動状態を、後で正確に把握することが容易になり、駆動状態の解析に要する時間を短縮することができる。
【００１７】
なお、ＩＣチップのメモリ容量に余裕があるときには、ＩＣチップに書き込まれるデータは、たとえばバルーンカテーテルを実際に駆動した駆動装置の駆動状態の全てのデータ、あるいはその一部のデータであっても良い。駆動状態に関するデータとしては、たとえば駆動期間中における心電図、血圧、駆動圧などの波形データや、駆動期間中のイベントデータなどである。
【００１８】
このようなデータをＩＣチップから読み取ることにより、臨床研究やトラブル対応時に、使用されたバルーンカテーテルの駆動状態を、後で正確に把握することが容易になり、駆動状態の解析に要する時間を短縮することができる。
【００１９】
前記ＩＣチップは、前記ハンドル部の一部に埋め込まれていてもよい。
【００２０】
あるいは、本考案のバルーンカテーテルは、
前記バルーン部の先端に形成された血液連通孔に連通し、バルーン部とカテーテル管の内部を軸方向に延在し、前記流体圧導通路とは別個の血液導通路が形成された内管をさらに有し、
前記内管の血液導通路には、ワイヤ部材が軸方向に沿って移動自在に挿入され、
前記ワイヤ部材の後端に、前記ＩＣチップが装着してあってもよい。
【００２１】
本考案のバルーンカテーテルでは、前記通信部が、接触式コネクタであっても良く、あるいは、非接触式通信用アンテナであってもよい。また、通信部は、バルーンカテーテルのハンドル部と駆動装置とを接続する際に、駆動装置の通信部と自動的に通信可能になっていることが好ましい。
【００２２】
好ましくは、前記ＩＣチップに記憶してあるデータに基づき、前記駆動装置は、前記バルーンカテーテルを駆動するための駆動条件を自動的に算出する制御部を有する。
【００２３】
好ましくは、前記駆動装置の制御部は、前記通信部を通して、前記駆動装置の識別番号と前記駆動装置の実際の駆動状態の少なくとも一部とを、前記ＩＣチップに書き込む。
【００２４】
前記駆動装置の実際の駆動状態の少なくとも一部には、前記駆動装置に記憶してある前記バルーンカテーテルの実際の駆動状態が記憶してあるデータの位置を特定するデータが含まれていても良い。
【００２５】
本考案の駆動システムは、前記ＩＣチップに記憶してあるデータと、前記バルーンカテーテルに対応する前記駆動装置の実際の駆動状態が記憶してあるデータとに基づき、前記バルーンカテーテルの駆動状態を解析する解析装置をさらに有してもよい。
【図面の簡単な説明】
【００２６】
【図１Ａ】図１Ａは本考案の一実施形態に係るバルーンカテーテルの概略断面図である。
【図１Ｂ】図１Ｂは本考案の他の実施形態に係るバルーンカテーテルの概略断面図である。
【図１Ｃ】図１Ｃは本考案の他の実施形態に係るバルーンカテーテルの概略断面図である。
【図１Ｄ】図１Ｄは本考案の他の実施形態に係るバルーンカテーテルの概略断面図である。
【図２】図１Ａに示すバルーンカテーテルの使用状態を示す概略図である。
【図３】図３は図２に示す駆動装置の表示部における表示例を示す概略図である。
【図４】図４はバルーンカテーテルの出荷時における梱包作業を示す概略図である。
【図５】図５はバルーンカテーテルの使用後の解析作業を示す概略図である。
【考案を実施するための形態】
【００２７】
以下、本考案を、図面に示す実施形態に基づき説明する。
【００２８】
図１Ａに示すように、本考案の一実施形態に係るバルーンカテーテル４０は、心臓の拍動に合わせて拡張および収縮するバルーン部２２を有する。バルーン部２２は、膜厚約５０〜１００μｍ程度の薄膜２０で構成される。薄膜の材質は、特に限定されないが、耐屈曲疲労特性に優れた材質であることが好ましく、例えばポリウレタンなどにより構成される。
【００２９】
バルーン部２２の外径および長さは、心機能の補助効果に大きく影響するバルーン部２２の内容積と、動脈血管の内径などに応じて決定される。バルーン部２２の内容積は、特に限定されないが、２５〜５０ｃｃであり、バルーン部２２の外径は、１２〜１８ｍｍが好ましく、長さは、１６０〜２５０ｍｍが好ましい。
【００３０】
このバルーン部２２の先端部には、血液連通孔２３が形成してある先端チップ部２５が熱融着ないしは接着などの手段で取り付けてある。この先端チップ部２５の内周側には、内管３０の先端部が熱融着ないしは接着などの手段で取り付けてある。
【００３１】
バルーン部２２の後端部には、金属製の接続チューブ２７の外周側で、カテーテル管２４の先端部が連結してある。このカテーテル管２４の内部に形成された流体圧導通路２９を通じて、バルーン部２２内に、流体圧が導入または導出され、バルーン部２２が拡張ないし収縮するようになっている。バルーン部２２とカテーテル管２４との連結は、熱融着あるいは紫外線硬化樹脂などの接着剤による接着により行われる。
【００３２】
内管３０は、バルーン部２２およびカテーテル管２４の内部を軸方向に延在し、後述するハンドル部４２の血圧測定口４４に連通するようになっており、その内部には、バルーン部２２の内部およびカテーテル管２４内に形成された流体圧導通路２９とは連通しない血液導通路３１が形成してある。バルーン部２２内に位置する内管３０は、バルーンカテーテル４０を動脈内に挿入する際に、収縮したバルーン部２２が巻かれてバルーン部２２が都合良く動脈内に差し込まれる際のガイドワイヤー挿通管腔としても用いられる。
【００３３】
カテーテル管２４は、特に限定されないが、ポリウレタン、ポリ塩化ビニル、ポリエチレンテレフタレート、ポリアミド等で構成される。カテーテル管２４の内径および肉厚は、特に限定されないが、内径は、好ましくは、１．５〜４．０mmであり、肉厚は、好ましくは、０．０５〜０．４mmである。また、内管３０は、特に限定されないが、硬質チューブ、金属スプリング補強チューブ、ステンレス細管等で構成される。内管３０の内径および肉厚は、特に限定されないが、内径は、好ましくは、０．１〜１．０mmであり、肉厚は、好ましくは、０．０５〜０．３mmである。
【００３４】
カテーテル管２４の後端部には、患者の体外に設置されるハンドル部４２が連結してある。ハンドル部４２は、カテーテル管２４と別体に成形され、熱融着あるいは接着などの手段で固着される。ハンドル部４２には、カテーテル管２４内の流体圧導通路２９およびバルーン部２２内に圧力流体を導入または導出するための圧力流体導入出口４６が形成される第１通路４７と、内管３０内に連通する血圧測定口４４が形成される第２通路４５とが形成してある。
【００３５】
圧力流体導入出口４６は、たとえば図２に示す駆動装置１０の圧力流体コネクタチューブ１２に接続され、この駆動装置１０により、流体圧がバルーン部２２内に導入または導出されるようになっている。導入される流体としては、特に限定されないが、駆動装置１０の駆動に応じて素早くバルーン部が拡張または収縮するように、粘性の小さいヘリウムガスなどが用いられる。また、駆動装置１０としては、特に限定されず、例えば特公平２−３９２６５号公報やＷＯ２０１１／１１４７７９号公報に示すような装置が用いられる。
【００３６】
血圧測定口４４は、たとえば図２に示す駆動装置１０の血液コネクタチューブ１４に接続され、バルーン部２２先端の血液連通孔２３から取り入れた動脈内の血液の血圧の変動を血圧測定装置にて測定可能になっている。この血圧測定装置で測定した血圧の変動に基づき、心臓１の拍動に応じて図２に示す駆動装置１０を制御し、バルーン部２２を拡張または収縮させるようになっている。
【００３７】
本実施形態のハンドル部４２では、図１Ａに示すように、圧力流体導入出口４６が形成された第１通路４７をカテーテル管２４の軸心方向に沿ってストレート状に配置し、血圧測定口４４が形成される第２通路４５を、第１通路４７の軸心に対して所定の傾きを以て配置するように構成してある。
【００３８】
しかも本実施形態のハンドル部４２では、第２通路４５内に、内管３０の端部を保持し、この内管３０を、カテーテル管２４の内壁に接するように偏心させて配置させるための第１内管端部保持具４８と第２内管端部保持具５０とが装着してある。
【００３９】
この実施形態のバルーンカテーテル４０では、ハンドル部４２に形成される圧力流体導入出口４６に連通する第１通路４７をカテーテル管２４の軸心方向に沿ってストレート状に配置してあるので、血圧測定口をカテーテル管の軸心方向に沿ってストレート状に配置した従来例に比較し、圧力流体の流路抵抗を低減することが可能になると共に、バルーン部における拡張・収縮の応答性が向上する。
【００４０】
本実施形態では、図１Ａに示すように、ハンドル部４２の一部にＩＣチップ６０が埋め込んである。ＩＣチップ６０に記憶してあるデータを読み込むと共に、ＩＣチップ６０の内部にデータを書き込むために、ＩＣチップ６０には、ケーブル６２を介して通信部としての接触式コネクタ７０が接続してある。ケーブル６２は、特に限定されないが、たとえばＲＳ２３２Ｃケーブルなどで構成される。
【００４１】
コネクタ７０は、図２に示すように、駆動装置１０のケーブル１７に接続してある接触式コネクタ１８に着脱自在に接続され、ＩＣチップ６０に記憶してあるデータを駆動装置１０に読み込むと共に、駆動装置１０のデータをＩＣチップ６０の内部にデータを書き込むことが可能になっている。
【００４２】
駆動装置１０には、ＣＲＴや平面表示ディスプレイなどの表示部１６が装着してある。表示部１６には、図３に示すように、駆動装置の運転に必要なデータ、たとえば心電図波形、駆動ガス圧の時系列波形、電圧、圧力、タイミング、アラーム、イベント履歴などが表示可能になっている。
【００４３】
また、図２に示すコネクタ７０および１８が接続されることで、ＩＣチップ６０に予め記憶してあるデータが駆動装置１０の制御部により読み込まれ、図３に示す表示部１６の表示領域１６ａに自動的に表示される。ＩＣチップ６０に予め記憶してあるデータとしては、たとえばバルーン部の拡張外径（たとえば７．０Ｆｒ）および容量（たとえば４０ｍｌ）と製品番号（Ｓ／Ｎ）とバルーン種類（たとえばショートバルーン）に関するデータである。
【００４４】
これらのＩＣチップ６０に予め記憶してあるデータは、図４に示すように、バルーンカテーテル４０の製造時あるいは出荷時に、ＩＣチップ６０に書き込まれ、その後に包装容器８０に包装される。
【００４５】
本実施形態に係るバルーンカテーテル４０および駆動装置１０を含むシステムでは、バルーンカテーテル４０のハンドル部４２に駆動装置１０を接続し、バルーンカテーテル４０のコネクタ７０と駆動装置１０のコネクタ１８とを接続させることで、バルーンカテーテル４０のＩＣチップ６０に記憶してあるデータが、自動的に駆動装置１０の制御部に送り込まれる。駆動装置１０の表示部１６には、ＩＣチップ６０に記憶してあるデータが、駆動装置１０の駆動に必要なデータと共に表示される。
【００４６】
ＩＣチップ６０に予め記憶してあるバルーン部の拡張外径および容量と製品番号に関するデータが表示部１６に表示されることで、駆動装置の操作者は、そのデータに誤りが無いかを容易に確認することができる。ＩＣチップに予め記憶してあるその他のデータとしては、バルーンカテーテルのタイプなどがある。バルーンカテーテルのタイプとしては、ショートバルーンタイプ、ロングバルーンタイプ、その他の特殊形状タイプなどがある。
【００４７】
また、駆動装置１０の制御部では、ＩＣチップ６０に記憶してあるデータに基づき、バルーンカテーテルを駆動するための駆動条件を自動的に算出する。たとえば駆動装置１０の制御部は、ＩＣチップ６０に記憶してあるデータに基づき、駆動装置１０からバルーンカテーテル４０に送られる圧力流体の流量調整を自動的に行うことができる。すなわち、バルーン部２２の容量が小さい場合には、バルーンカテーテルに送られる圧力流体の流量も小さくなる。
なお、駆動装置１０の制御部が、ＩＣチップ６０に記憶してあるデータに基づき自動的に算出することが可能な駆動条件としては、上記に限定されず、駆動装置における駆動ラインの設定基準圧（駆動ガス充填量）、駆動ラインのパージ実施頻度、アラーム設定条件などが例示される。
【００４８】
また、駆動装置１０による駆動が終了した場合、あるいは駆動の途中において、駆動装置１０の制御部は、コネクタ７０，１８を通して、駆動装置１０の識別番号と駆動装置１０の実際の駆動状態の少なくとも一部とを、ＩＣチップ６０に書き込む。駆動装置１０の実際の駆動状態の少なくとも一部には、駆動装置１０に記憶してあるバルーンカテーテルの実際の駆動状態が記憶してあるデータの位置を特定するデータが含まれていても良い。
【００４９】
駆動状態が記憶してあるデータの位置としては、たとえばデータが記憶してあるメモリの種類やメモリ内の特定の位置などが例示される。そのため、バルーンカテーテル４０を駆動装置１０から取り外した後においても、そのバルーンカテーテル４０が用いられた駆動装置１０と、駆動装置内のどのメモリ位置にデータが記憶されているかを容易に特定することができる。
【００５０】
そのため、図５に示すように、使用済みのバルーンカテーテル４０を回収袋８０ａなどにより回収した後においても、そのバルーンカテーテル４０に組み込まれているＩＣチップ６０のデータを解析装置１００により読み取り、さらに、そのデータから、使用された駆動装置１０を特定することができる。そのため、その特定される駆動装置１０のデータをメモリステック１５などから読み取って、ＩＣチップ６０のデータと共に解析装置１００で解析することで、臨床研究やトラブル対応時に、使用されたバルーンカテーテルの駆動状態を、後で正確に把握することが容易になり、駆動状態の解析に要する時間を短縮することができる。
【００５１】
なお、ＩＣチップ６０のメモリ容量に余裕があるときには、ＩＣチップ６０に書き込まれるデータは、たとえばバルーンカテーテルを実際に駆動した駆動装置１０の駆動状態の全てのデータ、あるいはその一部のデータであっても良い。駆動状態に関するデータとしては、たとえば駆動期間中における心電図、血圧、駆動圧などの波形データや、駆動期間中のイベントデータなどである。
【００５２】
このようなデータをＩＣチップから読み取ることにより、臨床研究やトラブル対応時に、使用されたバルーンカテーテルの駆動状態を、後で正確に把握することが容易になり、駆動状態の解析に要する時間を短縮することができる。
【００５３】
なお、本考案は、上述した実施形態に限定されるものではなく、本考案の範囲内で種々に改変することができる。
【００５４】
たとえば、ＩＣチップは、ハンドル部の一部に埋め込まれること無く、その他の部分に組み込まれていても良い。たとえば図１Ｂに示すように、内管３０の血液導通路３１には、ガイドワイヤあるいはパンピングスタイレットなどのワイヤ部材９０が軸方向に沿って移動自在に挿入されることがある。そこで、このようなワイヤ部材９０の後端（体外側）に、ＩＣチップ６０ａと接触式コネクタ７０ａが装着してあってもよい。その他の構成および作用効果は、前述した実施形態と同様である。
【００５５】
また、図１Ｃに示すように、ハンドル部４２の圧力流体導入出口４６の近くに、ＩＣチップ６０ｂに接続してある接触式コネクタ７０ｂを設け、圧力流体導入出口４６に着脱自在に接続される圧力流体コネクタチューブのコネクタ部１２ｂに接触式コネクタ１８ｂを設けても良い。この実施形態の場合には、圧力流体導入出口４６にコネクタ部１２ｂを接続すると同時に、コネクタ７０ｂとコネクタ１８ｂとが接続され、ＩＣチップ６０ｂと駆動装置１０とが通信可能になり、データのやりとりが可能になる。その他の構成は、前述した実施形態と同様である。
【００５６】
さらに、本考案のバルーンカテーテルでは、通信部は、必ずしも接触式コネクタである必要はなく、図１Ｄに示すように、ＩＣチップ６０ｃに非接触式通信用アンテナ７０ｃを接続し、圧力流体コネクタチューブのコネクタ部１２ｃに非接触式通信用アンテナ１８ｃを設け、これらのアンテナ間で非接触式に通信しても良い。なお、駆動装置側に設けられるアンテナ１８ｃは、コネクタ部１２ｃ以外の部分に設けても良い。その他の構成は、前述した実施形態と同様である。
さらにまた、本考案に係るバルーンカテーテルは、ＩＡＢＰバルーンカテーテルが特に好ましいが、それに限らず、その他のバルーンカテーテルであっても良い。
【符号の説明】
【００５７】
１０…  駆動装置
１２…  圧力流体コネクタチューブ
１２ｂ，１２ｃ…  コネクタ部
１４…  血液コネクタチューブ
１６…  表示部
１６ａ…  表示領域
１７…  ケーブル
１８，１８ｂ…  接触式コネクタ
１８ｃ…  非接触式通信用アンテナ
２０…  薄膜
２２…  バルーン部
２３…  血液導入口
２４…  カテーテル管
２５…  先端チップ部
２９…  流体圧導通路
３０…  内管
３１…  血液導通路
４０…  バルーンカテーテル
４２…  ハンドル部
４６…  圧力流体導入出口
４４…  血圧測定口
６０，６０ａ，６０ｂ，６０ｃ…  ＩＣチップ
７０，７０ａ，７０ｂ…  コネクタ
７０ｃ…  非接触式通信用アンテナ
９０…  ワイヤ部材
１００…解析装置
【図１Ａ】
0003177552.tif 000003
【図１Ｂ】
0003177552.tif 000004
【図１Ｃ】
0003177552.tif 000005
【図１Ｄ】
0003177552.tif 000006
【図２】
0003177552.tif 000007
【図３】
0003177552.tif 000008
【図４】
0003177552.tif 000009
【図５】
0003177552.tif 000010